(57)【要約】      （修正有）【課題】消弧剤入りの溶断表示装置付きヒューズにおいて、主ヒューズへの溶断表示装置の取付け構造を工夫することにより、構成部品の削減、製造工程の簡略化及びコストダウンの実現が可能なヒューズ溶断表示装置の取付け構造及びこの取付け構造を備えた溶断表示装置付きヒューズを提供する。【解決手段】溶断表示装置の取付け構造５０及びこの取付け構造５０を備えた溶断表示装置付きヒューズ６０は、ヒューズエレメント４と、電気絶縁性の筒状ケーシング５と、筒状ケーシング５内に充填される消弧剤６と、筒状ケーシング５の両端部を封鎖する導電性のキャップ体２とから成る主ヒューズ１において、溶断表示装置３を並列に接続し、キャップ体２に設けられた消弧剤６の充填孔７を溶断表示装置３の取付け孔として兼用するものである。【選択図】図１
2010272443.tif 000002
【特許請求の範囲】
【請求項１】
ヒューズエレメントと、ヒューズエレメントの溶断部を包囲する電気絶縁性の筒状ケーシングと、筒状ケーシング内に充填される消弧剤と、前記筒状ケーシングの両端部を封鎖する導電性のキャップ体とから成る主ヒューズに並列に接続され、該主ヒューズの溶断動作状況を表示するヒューズ溶断表示装置の取付け構造であって、
前記溶断表示装置が、前記主ヒューズのキャップ体に設けられた消弧剤の充填孔に、該溶断表示装置の取付け孔として兼用して固定されていることを特徴とするヒューズ溶断表示装置の取付け構造。
【請求項２】
前記消弧剤の充填孔は、前記キャップ体の端面に設けられ、
該充填孔に、前記溶断表示装置がその取付金具を介して固定されることを特徴とする請求項１記載のヒューズ溶断表示装置の取付け構造。
【請求項３】
前記消弧剤の充填孔は、前記キャップ体の外周面に設けられ、
該充填孔に、前記溶断表示装置がその取付金具を介して固定されることを特徴とする請求項１記載のヒューズ溶断表示装置の取付け構造。
【請求項４】
請求項１〜３のいずれかに記載のヒューズ溶断表示装置の取付け構造を備えて成ることを特徴とする溶断表示装置付きヒューズ。
【発明の詳細な説明】
【技術分野】
【０００１】
本発明は、溶断表示装置付きヒューズに関する。詳しくは、溶断表示装置のヒューズ本体への取付け構造及びこの取付け構造を備えた溶断表示装置付きヒューズに関する。
【背景技術】
【０００２】
従来より電気機器分野においては、電気回路を過電流から保護するために、例えば図６に示す溶断表示装置付きヒューズ７０が使用されている。
【０００３】
この溶断表示装置付きヒューズ７０は、予め主ヒューズ７１の両端部に装着された導電キャップ７２の表面から、スタッドボルト７３を半田付け、溶接等の固定手段により立設し、これに溶断表示装置７４の取付金具７５を嵌め込み、ナット７６で固定したものである（例えば特許文献１〜３）。
【０００４】
そして、このヒューズ７０の作用は、主ヒューズ７１内部のヒューズエレメント（不図示）に過電流が流れて溶断すると、この過電流が直ちに固定バンド７５を経て溶断表示装置７４に流れ、内部に設けられている溶断表示用ヒューズ（不図示）を溶断させ、この溶断事実を、溶断表示棒７７を外部に突出させることにより知らせるものである。
【０００５】
しかし、この溶断表示装置付きヒューズ７０の取付け構造にあっては、ナット７６が振動等により緩みやすいことと、溶断表示装置７４の締結部材として、それぞれ２個の取付金具７５、スタッドボルト７３、ナット７６等の多くの部材が必要である。
【０００６】
一方、この溶断表示装置付きヒューズ７０には、ヒューズエレメント溶断時に発生するアークを消弧するために、ケーシング両端部の導電キャップ７２の何れかの場所に消弧剤充填孔（不図示）を開口し、ここから主ヒューズ７１内部に消弧剤（不図示）を充填しなければならない場合があるが、充填後はプラグ等の適当な閉塞手段で閉塞しなければならず、これらの充填、閉塞作業の対象も、上記溶断表示装置の取付場所と同じ導電キャップ７２である。
【０００７】
したがって、導電キャップ７２には、溶断表示装置７４の取付け作業と、消弧剤の充填、閉塞作業の２つの作業がシリーズに繋がり、しかもそれぞれの作業には専用の締結部材と専用工具が必要であるために、消弧剤入り溶断表示装置付きヒューズ全体の組立作業に時間がかかり、生産的でないという問題があった。
【先行技術文献】
【特許文献】
【０００８】
【特許文献１】特開２００７-５９０８３号公報（図３の符号６、７）
【特許文献２】特開２００７-２８７４５８号公報（図４の符号６、７）
【特許文献３】実開平２-３２６４５号公報（第６図）
【発明の概要】
【発明が解決しようとする課題】
【０００９】
本発明は、このような事情に鑑みてなされたもので、消弧剤入りの溶断表示装置付きヒューズにおいて、主ヒューズへの溶断表示装置の取付け構造を工夫することにより、ヒューズ構成部品の削減、製造工程の簡略化及びこれに伴うコストダウンの実現が可能なヒューズ溶断表示装置の取付け構造及びこの取付け構造を備えた溶断表示装置付きヒューズを提供することを目的とする。
【課題を解決するための手段】
【００１０】
上記課題を達成するため、本発明に係るヒューズ溶断表示装置の取付け構造は、ヒューズエレメントと、ヒューズエレメントの溶断部を包囲する電気絶縁性の筒状ケーシングと、筒状ケーシング内に充填される消弧剤と、前記筒状ケーシングの両端部を封鎖する導電性のキャップ体とから成る主ヒューズに並列に接続され、該主ヒューズの溶断動作状況を表示するヒューズ溶断表示装置の取付け構造であって、前記溶断表示装置が、前記主ヒューズのキャップ体に設けられた消弧剤の充填孔に、該溶断表示装置の取付け孔として兼用して固定されていることを特徴とするものである。
【００１１】
そして、本発明に係る溶断表示装置付きヒューズは、前記ヒューズ溶断表示装置の取付け構造を備えたことに特徴を有するものである。
【００１２】
本発明の溶断表示装置の取付け構造は、消弧剤の充填孔と溶断表示装置の取付け孔とを兼用するものであるから、当該取付け構造の取付け孔の条件としては、消弧剤のケーシング内部への充填を可能ならしめるために内径が消弧剤の外径以上の寸法を有するキャップ体の貫通孔であること、及び消弧剤の充填後は、溶断表示装置が振動等によりふら付かないようにしっかりと主ヒューズに固定でき、しかも固定後は取付け孔から充填剤が漏れないことが必要である。
【００１３】
このような溶断表示装置の取付け構造としては、特に限定されず、如何なる構造のものでもよいが、例えばキャップ体に設けた３〜５ｍｍ程度の内径の雌ネジ孔を、消弧剤の充填孔として使用した後、更に取付金具を介して、小ねじ、ボルト等の締結部材で固定（閉塞）する取付け構造としても良いし、上記小ねじ、ボルト等の締結部材に代えて、セミチューブラーリベット（別名：ブラインドリベット）、プッシュリベット等の締結部材を、取付金具を介して固定する取付け構造としても良い。
【００１４】
また、後述の実施例３でも説明するが、キャップ体の端面或は外周面に、消弧剤充填孔を中央部に有する突部を設け、一方、溶断表示装置の取付金具の先端部には前記突部に嵌合可能な凹部を設けておき、消弧剤充填孔から筒状ケーシング内部に消弧剤を充填後に凹部を突部に嵌合して固定する方法としても良い。
【００１５】
上記突部とこれに嵌合可能な凹部とから成る取付け構造であると、ワンタッチで溶断表示装置の取付金具をキャップ体に固定できるうえ、実用上問題のない程度の取付け強度と、充填孔の閉塞効果とが同時に得られるので、溶断表示装置付きヒューズの生産効率を高めることができる。
【００１６】
なお、これらの取付金具と締結部材（閉塞部材）の材質としては、主ヒューズ溶断時の電流が溶断表示装置の取付金具を経て装置内の溶断表示用ヒューズに流れるものであるから、導電性のものが必要であることは言うまでもない。
【００１７】
溶断表示装置の取付金具の取付け位置としては、キャップ体の外周面、端面のどの位置であっても良く、本発明では当該位置が消弧剤の充填孔の配設位置ともなる。
【００１８】
また、取付金具の具体的態様としては、前述の図６で示したように、溶断表示装置とは別体のものを作成し、この取付金具を溶断表示装置とキャップ体間に掛け渡して上記締結部材で固定しても良いし、キャップ体または溶断表示装置のいずれか一方の部材と同体のものを他方の部材にまで延設して固定する態様としても良い。
【発明の効果】
【００１９】
本発明のヒューズ溶断表示装置の取付け構造によれば、その溶断表示装置が主ヒューズのキャップ体に設けられた消弧剤の充填孔に、当該溶断表示装置の取付け孔としても兼用して固定する取付け構造であるので、従来、キャップ体に溶断表示装置の取付用と、消弧剤の充填用とに個々に設けていた孔を一つしか開けなくて済むうえ、溶断表示装置取付用の締結部材を、消弧剤充填孔の閉塞部材としても兼用することができる。
【００２０】
したがって、本発明のヒューズ溶断表示装置の取付け構造及びこの取付け構造を備えた溶断表示装置付きヒューズは、溶断表示装置付きヒューズ全体で評価すれば、その構成部品の削減とこれに伴う製造工程の簡略化、及びコストダウンが容易に実現できる。
【図面の簡単な説明】
【００２１】
【図１】本発明に係るヒューズ溶断表示装置の取付け構造及びこの取付け構造を備えた溶断表示装置付きヒューズの第１実施例の分解斜視図である。
【図２】図１の取付け構造及びこの取付け構造を備えた溶断表示装置付きヒューズの全体斜視図である。
【図３】本発明に係る取付け構造及びこの取付け構造を備えた溶断表示装置付きヒューズの第２実施例の分解斜視図である。
【図４】図３の取付け構造及びこの取付け構造を備えた溶断表示装置付きヒューズの全体斜視図である。
【図５】図５（ａ）及び図５（ｂ）は、本発明に係るヒューズ溶断表示装置の取付け構造の第３実施例を示す要部の縦断面図、図５（ｃ）乃至図５（ｅ）は、本発明に係るヒューズ溶断表示装置の取付け構造の他例の要部の縦断面図である。
【図６】従来の溶断表示装置付きヒューズの全体図である。
【発明を実施するための形態】
【００２２】
以下、本発明を実施するための形態を、図面を参照しながら具体的に説明する。
【実施例１】
【００２３】
図１は、本発明に係るヒューズ溶断表示装置３の取付け構造５０及びこの取付け構造５０を備えた溶断表示装置付きヒューズ６０の第１実施例の分解斜視図、図２は、図１の取付け構造５０及び溶断表示装置付きヒューズ６０の全体斜視図である。
【００２４】
本実施例の溶断表示装置３の取付け構造５０は、これらの図が示すように、主ヒューズ１両端部のキャップ体２の両端面に溶断表示装置３を取付けたものである。
【００２５】
図１において、本実施例の取付け構造５０に用いられる主ヒューズ１は、ヒューズエレメント４と、絶縁性材質から成る筒状ケーシング５と、筒状ケーシング５の両端部に嵌着される導電製のキャップ体２と、筒状ケーシング５内部に充填されている多数の消弧剤６とから成る。
【００２６】
ヒューズエレメント４は、過電流が流れたときに電気回路（不図示）保護のために規定時間内で溶断するためのもので、例えば銅、銅合金、銀、亜鉛、錫等の溶断し易い金属から成り、複数の小穴４ａが開いた中央部の溶断部４ｂと、取付孔１ｃを有する両端部の端子部１ｄとから成る。
【００２７】
筒状ケーシング５は、電気絶縁性材質からなる両端開口の円筒状のもので、ヒューズエレメント４の溶断部４ｂを包囲しており、その両端部には、例えば銅、銅合金、鉄等の導電製金属から成るキャップ体２がヒューズエレメント４の端子部１ｄのみを外部に露出させた状態で装着されている。
【００２８】
そして、それぞれのキャップ体２の端面側には、消弧剤充填孔７が設けられ、ここから多数の充填剤６が筒状ケーシング５内部に予め充填されている。
【００２９】
一方、溶断表示装置３は、主ヒューズ１の軸方向に沿って並列に接続される細長い筒状のもので、内部には前述したように溶断表示用ヒューズ（不図示）と、バネ（不図示）とが設けられており、主ヒューズ１のヒューズエレメント４に過電流が流れて溶断すると、バネの作用により表示棒３ａを外部に突出させて知らせるものである。
【００３０】
これらの溶断表示装置付きヒューズ６０の構成部材に対し、本実施例の溶断表示装置３の取付け構造５０は、キャップ体２端面に形成した消弧剤充填孔７と、溶断表示装置３の両端に装着した取付金具８と、それぞれの取付金具８を消弧剤充填孔７に取付けるための締結部材９から成る。
【００３１】
そして、図示するように、溶断表示装置３の取付金具８をキャップ体２端面に固定するための取付孔７は、消弧剤の充填孔７としても兼用されている。
【００３２】
溶断表示装置３の取付金具８は、溶断表示装置３が挿通可能な内径を有するリング体８ａの外周面に、キャップ体２端面への取付用孔８ｃを端部に有する板状体８ｂを連結したもので、これを溶断表示装置３の両端部に半田付け、接着、ビス止め等の適当な固定手段（不図示）により、キャップ体２の端面間寸法を取付け間隔Ｌとして固定したものである。
【００３３】
本実施例では取付金具８は、リング体８ａを溶断表示装置３に被せて固定する構造としているが、その他、図示は省略するがボルト、ナット等の締結部材を用いないで取付金具８をクランプする構造のものであっても良いし、その他の構造のものであっても良い。
【００３４】
消弧剤充填孔７は、その内径が消弧剤６の外径以上の内径を有することは勿論のこと、本実施例では漏斗等の器具（不図示）を使用して容易に筒状ケーシング５の内部に充填しやすいように、内径が３〜５ｍｍ程度の貫通孔である雌ネジが形成されている。
【００３５】
したがって、締結部材９もこの雌ネジに捻じ込み可能な呼び径の十字孔付き小ネジ９ａと、座金９ｂとから成るが、その他、消弧剤充填孔７を雌ネジとせず、単なる貫通孔とすると共に、十字孔付き小ネジの代わりにセルフタッピングネジを採用しても良い。この場合は、より一層、溶断表示装置３の取付け構造５０が簡略化されるので、溶断表示装置付きヒューズ６０の生産性が向上することになる。
【００３６】
本実施例の溶断表示装置３の取付け構造５０によれば、筒状ケーシング５内に消弧剤６を消弧剤充填孔７から充填した後は、直ちに当該充填孔７に取付金具８をあてがって締結部材９で固定するので、従来使用していた消弧剤充填孔７独自の閉塞部材が不要になるうえ、当該充填孔７の閉塞作業と、取付金具８の固定作業とを兼用することができるため、溶断表示装置付きヒューズ６０の構成部品点数の削減、製造工程の簡略化及びこれに伴うコストダウンの実現が可能となる。
【００３７】
かくして得られた本実施例の溶断表示装置３の取付け構造５０は、図２の完成品の溶断表示装置付きヒューズ６０を構成することとなり、主ヒューズ１に過電流が流れてヒューズエレメント４の溶断部が溶断すると、この過電流が取付金具８を経て溶断表示装置３に流れ、内部の溶断表示用ヒューズ（不図示）を溶断させ、この溶断事実を直ちに表示棒３ａを外部に突出させて知らせるが、このような溶断表示装置付きヒューズ本来の作用効果も何ら遜色なく発揮することができることは言うまでもない。
【実施例２】
【００３８】
次に、図３は、本発明に係る溶断表示装置３の取付け構造５０Ａ及びこの取付け構造５０Ａを備えた溶断表示装置付きヒューズ６０Ａの第２実施例の分解斜視図、図４は図３の取付け構造５０Ａ及びこの取付け構造５０Ａを備えた溶断表示装置付きヒューズ６０Ａの全体斜視図である。なお、これらの図において、前述の実施例１と同じ部材は同じ符号を用いており、これらの符号を有する部材の説明は省略する。
【００３９】
すなわち、本実施例の溶断表示装置３の取付け構造５０Ａ及びこの取付け構造５０Ａを備えた溶断表示装置付きヒューズ６０Ａは、実施例１の取付け構造５０の取付金具８がキャップ体２の両端面に固定されていたのに対し、本実施例ではキャップ体２の外周面に固定されている点と、実施例１の取付け構造５０ではその締結部材９が十字孔付き小ネジ９ａと座金９ｂとで構成していたのに対し、本実施例では、市販されているいわゆるセミチューブラーリベット９ｃを使用した点と、そのために本実施例の消弧剤充填孔７Ａは、実施例１の消弧剤充填孔７が雌ネジであったのに対し、セミチューブラーリベット９ｃが打ち込み可能な内径の単なる貫通孔である点とが異なる。
【００４０】
すなわち、図３において、本実施例の溶断表示装置３の取付け構造５０Ａは、その取付金具８Ａは一枚の帯状の薄板８Ａａを折り曲げて溶断表示装置３を周回させ、両端面を対向させて所定長さ（主ヒューズ１と溶断表示装置３間の取付長さ）とした二枚のものから成る。
【００４１】
そして、両端面に取付孔８Ａｂを設け、周回部分を消弧剤充填孔７Ａの取付け間隔Ｌ１に一致する固定間隔で溶断表示装置３の両端部に半田付け、接着、ビス止め等（不図示）により固定したものである。
【００４２】
前述したように消弧剤充填孔７Ａの内径は、セミチューブラーリベット９ｃが打ち込み可能な内径であるが、この内径は通常、消弧剤を作業者が充填するに十分な内径である。セミチューブラーリベット９ｃは、ＪＩＳ  Ｂ  １２１５で寸法、材質等が規定されており、その材質もプラスチック製、金属製等の種々の材質のものがあるが、本実施例では取付金具との導電性と溶断表示装置３の取付強度とを確保するために、黄銅、アルミニューム、ステンレス鋼等の金属製のものを用いており、その呼び径としては３〜５ｍｍ程度のもので十分である。
【００４３】
図３は、キャップ体２に取付金具８Ｂを介してセミチューブラーリベット９ｃを打ち込む前の状態であり、市販されている公知のリベッターＲにより打ち込み、マンドレル９ｄを折り取ると、次の図４の溶断表示装置付きヒューズ６０Ａとなる。なお、このセミチューブラーリベット９ｃの打ち込みの詳細は、次の実施例３において説明する。
【００４４】
本実施例の溶断表示装置３の取付け構造５０Ａによれば、キャップ体２の外周面に形成された消弧剤充填孔７Ａに、溶断表示装置３をその取付金具８Ａを介してセミチューブラーリベット９ｃをリベッターＲにより打ち込むので、飛躍的に当該充填孔７Ａの閉塞作業と取付金具８Ａの固定作業とがスピードアップされ、これに伴うコストダウンの実現を確保することができる。
【００４５】
かくして得られた本実施例の溶断表示装置３の取付け構造５０Ａにおいても、図４の完成品の溶断表示装置付きヒューズ６０Ａを構成することとなり、溶断表示装置付きヒューズ本来の作用効果を何ら遜色なく発揮することができることは言うまでもない。
【実施例３】
【００４６】
次に、図５（ａ）及び図５（ｂ）は、本発明に係るヒューズ溶断表示装置３の取付け構造５０Ｂの第３実施例を示す要部の縦断面図である。図５（ｃ）乃至図５（ｅ）は、取付け構造の他例の要部の縦断面図で、このうち図５（ｃ）は、キャップ体２近傍の縦断面図、図５（ｄ）は、その要部拡大図、図５（ｅ）は、その右側面図である。
【００４７】
これらの図においても、前述の実施例１と同じ部材は同じ符号を用いており、これらの符号を有する部材の説明は省略する。
【００４８】
図５（ａ）及び図５（ｂ）に示した溶断表示装置３の取付け構造５０Ｂは、その取付金具８Ｂのキャップ体２への締結部材として、実施例２と同様にセミチューブラーリベット９ｃを使用しているが、実施例２ではキャップ体２の外周面に溶断表示装置３の取付金具８を取付けていたのに対し、本実施例ではキャップ体２の両端面に取付けている点が異なる。
【００４９】
ここでは、セミチューブラーリベット９ｃを用いた溶断表示装置３の取付け構造５０Ｂについて説明する。
【００５０】
まず、図５（ａ）に示すように、キャップ体２の端面に設けた消弧剤充填孔７Ｂから消弧剤６を充填した後、この消弧剤充填孔７Ｂに、消弧剤充填孔７Ｂの内径を呼び径とするセミチューブラーリベット９ｃを差し込み、溶断表示装置３の取付金具８Ｂを介してリベッターＲで打ち込む。すなわち、消弧剤充填孔７Ｂがセミチューブラーリベット９ｃの下穴となる。
【００５１】
このリベッターＲは、圧空の駆動力により先端部に図の矢印方向の打撃を与えて打ち込むものであるが、公知のものであるのでここでの具体的な構造説明は省略する。
【００５２】
次に、図５（ｂ）に示すように、打ち込みが完了し、リベッターＲでセミチューブラーリベット９ｃ内部のマンドレル９ｄを図の矢印方向に引き抜くと、マンドレル９ｄの筒状ケーシング５側のフランジ部９ｅが半径方向に拡径されるため、キャップ体２と取付金具８とにはその両側から挟持するような加締め力が加わる。
【００５３】
次に、マンドレル９ｄがリベッターＲにより、図の矢印方向に引きちぎられ、セミチューブラーリベット９ｃ内部にはフランジ部９ｅが瘤状になって残り、締結を維持する。
【００５４】
かかるセミチューブラーリベット９ｃを溶断表示装置３の取付金具８Ｂの締結部材として用いると、確実な締結が得られ、従来技術で説明したボルト７３やナット７６のような締結後の緩みが生じない利点を有する。
【００５５】
また、図５（ｃ）乃至図５（ｅ）に示すように、締結部材は上記セミチューブラーリベット９ｃに代えて、キャップ体２側に設けた突部９ｆと、取付金具８Ｃ側に設けた凹部９ｇとを互いに嵌合させて固定してもよい。
【００５６】
すなわち、突部９ｆは、キャップ体２の端面に円柱状の突出部材を半田付け等により固定し、その中央部には貫通孔の消弧剤充填孔７Ｃを設け、外周面上の先端部付近には小径の括れ部９ｈを設けたものである。
【００５７】
一方、凹部９ｇは、キャップ体２の突部９ｆに嵌め込み可能で、且つ、内周面に上記括れ部９ｈに係止する縮径部９ｉを有するキャップ状のもので、取付金具８Ｃの先端部付近に位置するものである。
【００５８】
この突部９ｆと凹部９ｇとから成る取付け構造によれば、実施例１の十字孔付き小ネジ９ａや、実施例２のセミチューブラーリベット９ｃを予め準備しておくことが一切不要となる。
【００５９】
したがって、作業者は、取付金具８Ｃのキャップ体２への固定に際して、取付金具８Ｃの凹部９ｇをキャップ体２の突部９ｆ方向に押し込むだけで良いので、ワンタッチでの固定が実現でき、より一層、消弧剤充填孔７Ｃの閉塞作業と取付金具８Ｃの固定作業とがスピードアップされ、溶断表示装置付きヒューズ製造のコストダウンが図れる。
【００６０】
なお、図５（ｅ）中の符号８ｅの部材は、凹部９ｇをキャップ体２の突部９ｆに装着後、取付金具８Ｃの両側面から突部９ｆ方向に折り曲げてキャップ体２表面に設けた嵌合溝（不図示）に嵌め込む「回転止め」であり、これにより溶断表示装置３全体が突部９ｇを中心として回転するのを防止することができる。  
【００６１】
このように、本実施例の溶断表示装置３の取付金具８Ｂ、８Ｃは、キャップ体２の両端面においても取付け可能であり、この取付け構造５０Ｂ、５０Ｃにおいても前述の実施例と全く同様の作用効果を奏することができるのである。
【００６２】
以上に本発明の種々の実施例を説明したが、これらは本発明のほんの一例であって、本発明の趣旨を逸脱しない範囲で変形、応用することができ、これらの変形、応用例も本発明の範囲に含まれることは勿論である。
【００６３】
例えば、実施例１、２で用いた締結部材（閉塞部材）９や、セミチューブラーリベット９ｃの材質は、いずれも導電性材質のものを使用したが、キャップ体２と溶断表示装置３の取付金具８、８Ａがいずれも導電性部材からなり、この取付金具８、８Ａがキャップ体２に上記締結部材９、９ｃで固定された時点において、主ヒューズ１の溶断後の電流が溶断表示装置付きヒューズ本来の作用効果を損ねない程度に溶断表示装置３側に流れ得るものならば、上記締結部材９、９ｃの材質としてはプラスチックスや非鉄金属他、如何なる材質のものであってもよく、かかる材質の締結部材９、９ｃを用いた場合も本発明の範囲に含まれるものである。
【００６４】
また、前述の各実施例では、消弧剤充填孔７、７Ａ、７Ｂ、７Ｃは本発明の作用効果の説明上、１個のみをキャップ体２に設けた例としたが、消弧剤充填孔７、７Ａ、７Ｂ、７Ｃと、溶断表示装置３の取付金具８、８Ａの取付孔８ｃ、８Ａｂとを兼用したものであれば、例えば定格電流等の大きな溶断表示装置付きヒューズの場合にあっては、２個以上の複数個を設けて取付けても勿論良い。
【符号の説明】
【００６５】
１    主ヒューズ  
２    キャップ体
３    溶断表示装置
３ａ    溶断表示棒
４    ヒューズエレメント
５    筒状ケーシング
６    消弧剤
７、７Ａ、７Ｂ、７Ｃ    消弧剤充填孔
８、８Ａ、８Ｂ、８Ｃ    溶断表示装置の取付金具
９    締結部材
９ｃ  セミチューブラーリベット（締結部材）
９ｄ  マンドレル
５０、５０Ａ、５０Ｂ、５０Ｃ    溶断表示装置の取付け構造（本発明）
６０、６０Ａ    溶断表示装置付きヒューズ（本発明）
Ｒ    リベッター
【図１】
2010272443.tif 000003
【図２】
2010272443.tif 000004
【図３】
2010272443.tif 000005
【図４】
2010272443.tif 000006
【図５】
2010272443.tif 000007
【図６】
2010272443.tif 000008